(57)【特許請求の範囲】
【請求項１】
両端に侵入口を有する本体と、前記本体の内部底面に設けた粘着部材とを備えたねずみ捕獲器において、
前記本体の内部の一部に、ねずみが通過速度を落としてくぐり抜ける箇所を備え、
前記箇所に、前記粘着部材に対して上方に所定の間隔を隔てて配置した障害物を有し、前記障害物の下端と前記粘着部材との隙間を通過しようとするねずみをかがませることを特徴とするねずみ捕獲器。
【請求項２】
両端に侵入口を有する本体と、前記本体の内部底面に設けた粘着部材とを備えたねずみ捕獲器において、
前記本体の内部の一部に、ねずみが通過速度を落としてくぐり抜ける箇所を備え、
前記本体が筒状体であって、前記箇所では、内部空間が両端の侵入口より狭くなっていることを特徴とするねずみ捕獲器。
【発明の詳細な説明】
【０００１】
【発明の属する技術分野】
本発明は、ねずみを捕獲するための捕獲器に関し、詳しくは内部底面に設けた粘着部材でねずみを捕獲する際の捕獲性能を改良したねずみ捕獲器に関する。
【０００２】
【従来の技術】
従来、捕獲器本体の内部底面に粘着部材を設けたねずみ捕獲器が提案されている。
【発明が解決しようとする課題】
【０００３】
しかし、捕獲器内をねずみが通過した際にその前足・後足が粘着部材に触れただけでは、粘着力が十分でなく、ねずみを捕獲できなかったり、または一旦捕獲したねずみが逃亡したりすることがある。
本発明は、このような事情に鑑みてなされたもので、その目的は、捕獲性能を改良したねずみ捕獲器を提供することにある。
【０００４】
【課題を解決するための手段】
本発明の上記目的は、両端に侵入口を有する本体と、前記本体の内部底面に設けた粘着部材とを備えたねずみ捕獲器において、前記本体の内部の一部に、ねずみが通過速度を落としてくぐり抜ける箇所を備え、前記箇所に、前記粘着部材に対して上方に所定の間隔を隔てて配置した障害物を有し、前記障害物の下端と前記粘着部材との隙間を通過しようとするねずみをかがませることを特徴とするねずみ捕獲器によって達成される。
このようなねずみ捕獲器によれば、捕獲器の本体内部に侵入したねずみは、内部底面を通過する際、その足等が粘着部材の粘着力によって拘束される。そして、ねずみは粘着力に抗して進行しようとするが、障害物によって通過速度を落とす。通過速度の低下に伴い、ねずみは粘着部材の同じ箇所に接触している時間が長くなり、接触面積が増え、その足等が粘着部材と一層強く粘着する。このため、ねずみは粘着力によって強く拘束され、捕獲器内に一旦侵入した後は脱出できなくなる。従って、ねずみ捕獲器の捕獲性能が向上する。
ここで、ねずみとは、例えば、ドブねずみ、クマねずみ、ハツカねずみを挙げることができる。
なお、ねずみ捕獲器の本体の材質は、例えば、硬質紙、ダンボール、プラスチック成形物などを挙げることができる。
【０００５】
上記の構成において、障害物が前記粘着部材に対して上方に所定の間隔を隔てて配置され、前記障害物の下端と前記粘着部材との隙間を通過しようとするねずみをかがませるようにしているため、ねずみが本体内部に設けられた障害物をくぐり抜けようとする際に、ねずみの重心が低くなり、荷重が掛かった前足・後足が粘着部材に一層強く粘着する。従って、ねずみ捕獲器の捕獲性能が更に向上する。
【０００６】
上記の所定の間隔とは、３ｃｍ以上であって、好ましくは、５〜８ｃｍである。これは、粘着面と障害物の間隔（隙間）が小さいほどねずみを粘着部材に接触させやすく捕獲性能向上の効果は高いが、隙間が狭すぎる場合には、大きなねずみ（例えば、体重３００ｇ以上のねずみ）は警戒して捕獲器内部に侵入しない性質があるからである。この場合には、障害物に適当な穴、スリット、透明窓等を設けて一方の侵入口から他方の侵入口を介して捕獲器の外部が見えるようにすることもできる。
【０００７】
上記構成において、前記本体が両端にねずみの侵入口を有する筒状であることが好ましい。ねずみはその性質上、一方の侵入口から他方の侵入口を介して捕獲器の外部を見ることができる場合、捕獲器内部に侵入しやすくなるからである。
【０００８】
上記構成において、障害物が本体の天井部と側面部とに実質的に接触していることが好ましい。
この構成によれば、ねずみは、障害物を上から乗り越えることができず、粘着部材に一層確実に接触して粘着力によって拘束されるようになる。従って、捕獲性能が向上する。
ここで、実質的に接触するとは、単に接触すること、及び本発明の効果を損なわない範囲内で接触していないことを包含する意である。
【０００９】
上記構成において、障害物が、本体の内部底面を利用して本体の内部に向かって立ち上げることで形成されていても良い。
このような構成によれば、ねずみ捕獲器は、使用前には障害物を折り畳んだ状態で保管でき、使用時にねずみ捕獲器の内部に障害物を容易に設置できる。
【００１０】
本発明の上記目的は、両端に侵入口を有する本体と、前記本体の内部底面に設けた粘着部材とを備えたねずみ捕獲器において、前記本体の内部の一部に、ねずみが通過速度を落としてくぐり抜ける箇所を備え、前記本体が筒状体であって、前記箇所では、内部空間が両端の侵入口より狭くなっていることを特徴とするねずみ捕獲器によっても達成することができる。
このようなねずみ捕獲器によれば、ねずみが本体の内部空間が狭くなっている箇所と粘着部材との隙間をくぐり抜ける際に、通過速度が落ち、内部底面に設けられた粘着部材にしっかりと粘着捕獲される。従って、ねずみ捕獲器の捕獲性能が向上する。
【００１１】
上記の構成において、本体、障害物または粘着部材の少なくとも一部に、猫、犬等の愛玩動物が本体内に侵入することを防止するための忌避剤を保持させてもよい。本体が忌避剤を保持する場合、忌避剤を本体の外面および／または内面の全面または一部に保持されるのが好ましい。具体例としては、少なくとも侵入口またはその近傍に忌避剤を保持させるのがよい。侵入口の場合、侵入口の開口周縁部の全部または一部に忌避剤を保持させることができ、例えば、折り返し片に忌避剤を保持させることができる。粘着部材が忌避剤を保持する場合、忌避剤を粘着剤に含有させるか、あるいはトレーの周縁に保持させることができる。
忌避剤としては、愛玩動物に対して高い忌避効果を有し、ねずみに対して忌避効果を有しないか、あるいは忌避効果に劣るものであればよく、種々のものが使用可能である。
【００１２】
【発明の実施の形態】
以下、本発明の実施形態を図面に基づいて詳しく説明する。
図１は本発明のねずみ捕獲器の第１実施形態を示す全体斜視図である。
図１において、１１はねずみ捕獲器１０の本体である。本体１１は、長方形状の底部１１ａと、底部１１ａに対して上方且つ平行に設けられた長方形状の天井部１１ｄと、底部１１ａの長辺と天井部１１ｄの長辺との間に設けられた２つの側面部１１ｂ、１１ｃとを有し、筒状に構成されている。
本体１１の長手方向両端には、ねずみが侵入する侵入口１２が開口しており、それらは内部空間Ｓを介して本体１１内部で連通している。本体１１の内部底面（底面）には粘着部材１３が設置される。図１は、この実施形態のねずみ捕獲器を使用状態で示している。
底部１１ａに垂直に立設した側面部１１ｂを図示しない壁等に接触して床等に設置される。
【００１３】
底部１１ａの侵入口１２側の両縁部には折り返し片１４が設けられ、内部空間側に向って傾斜するように折り曲げられている。この折り返し片１４は、ねずみが本体に侵入する際に粘着トレーが飛び出ないように押えとして機能するものである。
【００１４】
粘着部材１３は、長方形状のトレーの中にジェル状（半固体）の粘着剤を収容したものある。粘着部材１３は、トレーの両短辺を折り返し片１４と内部底面とで区画される隅部に係合させることで、内部底面に固定されている。
ねずみ捕獲器１０は、ねずみが一方の侵入口１２から侵入し、他方の侵入口１２に向って粘着部材１３上を通過可能に構成されており、粘着部材１３でねずみを粘着捕獲する。
【００１５】
本体１１の天井部１１ｄの略中央部には、本体１１の外側（本体の内部に対して外側。以下同じ。）に立設したつまみ部１５が形成されている。つまみ部１５は、ねずみ捕獲器１０を設置する場合やねずみを捕獲した後にねずみ捕獲器１０ごと廃棄する場合などに、指で把持される部分である。
【００１６】
図１中では図示しないが、本体１１の内部空間Ｓにはねずみの通過速度を落とすための障害物が設けられている。本体１１と障害物の形状及びその組み立て方法については以下で説明する。
【００１７】
図２は、本体１１の組み立てる前の状態を示している.
本体１１は、一枚の略長方形の硬質紙Ｐに、底部１１ａと、天井部１１ｄと、側面部１１ｂ、１１ｃとを有するように折り目を設けたものである。図２において、点線は折り目を示しており、組み立てた状態で、各折り目に対応する反対側の箇所は本体１１の辺となる。
本体１１は、組み立てた状態で、一方の側面部１１ｂが底部１１ａからほぼ垂直に立設され、他方の側面部１１ｃが底部１１ａから側面部１１ｂ側に傾斜するように立設され、断面が略台形になるように構成される。
【００１８】
天井部１１ｄは、組み立てる前の状態では、図２に示すように、硬質紙Ｐの両短辺にほぼ二分されている。一方の天井部１１ｄには差し込み口１７ａと取っ手１５ａが、他方の天井部１１ｄには差し込み片１７ｂと取っ手１５ｂがそれぞれ設けられている。組み立てた状態で、差し込み片１７ｂが差し込み口１７ａに挿入されて係止手段１７を形成する。また、取っ手１５ａ、１５ｂは互いに重ね合わされてつまみ部１５を形成する。
【００１９】
底部１１ａには、ねずみが本体１１内部を通過する際の障害物となる、立上げ部１６が、その周囲の一部を除いて切り込まれて底部１１ａから立ち上げることができるように設けられている。
立上げ部１６は、側面部１１ｂと底部１１ａとの間の折り目から立ち上げられる支持部１６ａと、支持部１６ａの先端側に接続されたじゃま板１６ｂとを有している。また、じゃま板１６ｂは、組み立てた状態において、天井部１１ｄに沿って下方に延びる上部１６ｃと、側面部１１ｂに沿って内部空間Ｓに向って延びる側部１６ｄとを有し、上部１６ｃの天井部１１ｄに接触する箇所には、天井部１１ｄに設けたスリット１８に組み込まれる組込み部１６ｅが設けられている。
【００２０】
図３は、図２に示す硬質紙Ｐを折り曲げ、本体１１を組立てる工程を示す。
図３に示すように、立上げ部１６を側面部１１ｂ側に立ち上げ、支持部１６ａが側面部１１ｂに接触するように折り曲げる。次に、じゃま板１６ｂを支持部１６ａに対して垂直、つまり側面部１１ｂに対して垂直になるように折り曲げる。そして、組込み部１６ｅを天井部１１ｄに設けられたスリット１８に挿入することで天井部１１ｄと立上げ部１６とを固定する。立上げ部１６を立ち上げた状態で、上部１６ｃはその上方端縁部が天井部１１ｄと接触し、側部１６ｄの支持部１６ａ側の端縁部が側面部１１ｂに接触している。
【００２１】
図４は、本体１１を組み立てた状態における一部透視図を含む全体斜視図を示している。本図においては粘着部材１３の図示を省略している。
本図は、硬質紙Ｐを組み立てた状態を示しており、上部１６ｃが天井部１１ｄに対して垂直且つ下方に延びている。また、側部１６ｄが側面部１１ｂに対して垂直且つ内部空間Ｓ側に延びている。
上部１６ｃは、内部底面（または粘着部材１３）に対して上方に間隔を隔てて配置され、上部１６ｃの下端と内部底面上に設けられた粘着部材との隙間（鉛直方向の長さ）Ｌ１が所定の間隔となるように構成されている。
【００２２】
本実施形態の構成によれば、ねずみは、一方の侵入口１２から侵入し、本体１１の内部底面に備えられた粘着部材１３の粘着力によって前足・後足等が拘束される。同時に、ねずみは、粘着力に抗して他方の侵入口１２に向かって本体１１内を進行しようとするが、本体１１内に設けられた障害物（じゃま板１６ｂ）のため、その通過速度を落とす。通過速度を落とした際に、前足・後足が粘着部材と一層強く粘着する。さらに、障害物と粘着部材との隙間を通過する際に、ねずみが身体の重心を低くする場合には、前足・後足が荷重を受けて粘着部材に更に強く粘着する。
本実施形態において、障害物が天井部１１ｄと側面部１１ｂ、１１ｃと接触する構成としたが、障害物がねずみの通過速度を落とす効果を奏する範囲であれば適宜に離間していてもよい。
【００２３】
本発明にかかるねずみ捕獲器の第２実施形態を説明する。なお、以下に説明する実施形態において、すでに説明した部材などと同等な構成・作用を有する部材等については、図中に同一符号又は相当符号を付すことにより、説明を簡略化或いは省略する。
図５は本発明のねずみ捕獲器の第２実施形態を示す全体斜視図である。図６は、図５に示すねずみ捕獲器を、長手方向の線で切った場合の簡略断面図である。図６において、粘着部材、折り返し片、つまみ部を省略している。
図５において、２１は、ねずみ捕獲器の本体を示している。本体２１は、長方形状の底部２１ａと、天井部２１ｄと、側面部２１ｂ、２１ｃとを有する略筒形状且つ略長方体形状に構成されている。本体２１の長手方向両端には、ねずみが侵入する侵入口２２が開口しており、内部空間Ｓを介して本体２１内部で連通している。
底部２１ａの内部底面には、第１実施形態と同様に粘着部材１３が設けられる。
【００２４】
天井部２１ｄの中央付近には、所定の面積を有する略長方形の凹部面２６が、内部底面と平行且つ長手寸法が本体２１の長手方向と直角になるように形成されている。凹部面２６は、図６に示すように、底部２１ａとの鉛直方向の距離が、侵入口２２の上方の辺より近くなるように構成されている。天井部２１ｄは、この辺から凹部面２６に向って底部２１ａとの間隔が小さくなるように傾斜した面を有している。側面部２１ｂ、２１ｃは、凹部面２６の短辺２６ａに対応するように折り曲げられ、本体２１の長手方向視において、凹部面２６の短辺２６ａを頂上部とし、本体２１の外側に突き出すように形成されている。
【００２５】
本実施形態の構成によれば、本体２１の天井部２１ｄは、その長手方向中央部に設けられた凹部面２６に向って底部２１ａとの鉛直方向の長さが次第に小さくなるように構成されており、凹部面２６の内側面と底部２１ａとの隙間Ｌ２が所定の間隔を有し、天井部２１ｄの他の箇所と底部２１ａとの隙間に比して最小になるように構成されている。言い換えれば、本体２１は、内部空間Ｓにおける凹部面２６に対応する箇所が侵入口２２側よりも狭くなるように構成されている。本実施形態において、天井部２１ｄに設けられた凹部面２６が、第１実施形態の障害物として機能している。
一方の侵入口２２から侵入したねずみは、他方の侵入口２２へ向って本体２１内部を通過するに際に、内部空間Ｓが狭くなるため、その通過速度を落とす。ねずみが通過速度を落とすと、前足・後足が内部底面に設置された図示しない粘着部材に一層強く粘着する。
【００２６】
本発明にかかるねずみ捕獲器の第３実施形態を説明する。図７は本発明のねずみ捕獲器の第３実施形態を示す全体斜視図である。図８は、図７に示すねずみ捕獲器を、長手方向の線で切った場合の簡略断面図である。図８において、粘着部材や折り返し片やつまみ部は図示を省略している。
図７において、３１は、ねずみ捕獲器３０の本体を示している。本体３１は、長方形状の底部３１ａと、天井部３１ｄと、側面部３１ｂ、３１ｃとを有する略筒形状且つ略長方体形状に構成されている。本体３１の長手方向両端には、ねずみが侵入する侵入口３２が開口しており、内部空間Ｓを介して本体３１内部で互いに連通している。
図７中においては図示しないが、底部３１ａの内部底面には、第１実施形態と同様に粘着部材（図１参照）が設けられる。
【００２７】
天井部３１ｄの中央付近には凹部辺３６が、底部３１ａと平行且つ本体３１の長手方向と直角になるように形成されている。凹部辺３６は、本体３１の側面視において、底部３１ａとの鉛直方向の距離が、侵入口３２の上方の辺側よりも近くなるように構成されている。天井部３１ｄは、両侵入口３２の上方の辺から凹部辺３６に向って傾斜するように構成されている。側面部３１ｂ、３１ｃは、凹部辺３６の端部３６ａに対応するように折り曲げられ、本体３１の長手方向視において、凹部辺３６の両端部３６ａを頂点とし、本体３１の外側に突き出すように形成されている。
【００２８】
本実施形態の構成によれば、図８に示すように、本体３１の天井部３１ｄは、その長手方向中央部に設けられた凹部辺３６に向って底部３１ａとの鉛直方向の長さが次第に小さくなるように構成されている。また、本体３１は、凹部辺３６の内側部と底部３１ａとの隙間Ｌ３が所定の間隔を有し、天井部３１ｄの他の箇所と底部３１ａとの隙間に比して最小になるように構成されている。言い換えれば、本体３１は、内部空間Ｓにおける凹部辺３６に対応する箇所が侵入口３２側よりも狭くなるように構成されている。本実施形態において、凹部辺３６が、第１実施形態の障害物として機能している。
このような構成によれば、一方の侵入口３２から侵入したねずみは、他方の侵入口３２へ向って本体３１内部を通過するに伴い、天井部３１ｄが徐々に底部３１ａに近づいて内部空間Ｓが狭くなるため、その通過速度を落とす。通過速度を落とした際に、ねずみの前足・後足が底部３１ａに設置された図示しない粘着部材に一層強く粘着する。
【００２９】
本発明にかかるねずみ捕獲器の第４実施形態を説明する。図９は本発明のねずみ捕獲器の第４実施形態を示す、一部透視図を含む全体斜視図である。
図９において、４１は、ねずみ捕獲器４０の本体を示しており、その基本的な構成は第１実施形態のものと同様である。以下、相違する箇所のみ説明する。
本実施形態においては、本体４１は、両側面部４１ｂ、４１ｃ及び天井部４１ｄの一区画部を内部空間Ｓに向って折り込まれた折込み部４６を有し、この折込み部４６が障害物として機能している。
【００３０】
折込み部４６は、第１の折込み片４６ａと第２の折込み片４６ｂとで構成され、本体４１の長手方向中央付近に設けられている。第１の折込み片４６ａは、天井部４１ｄから側面部４１ｂにつながる二本の略平行な切れ目を折り込んだものであり、第２の折込み片４６ｂは、天井部４１ｄから側面部４１ｃにつながる二本の略平行な切れ目を折り込んだものである。
折込み片４６ａ、４６ｂは、折り込む前の状態で、天井部４１ｄの一部をなす上部支持面と、側面部４１ｂ、４１ｃの一部をなす下部支持面とを有している。折込み片４６の上部支持面側の端縁が天井部４１と接続し、下部支持面側の端縁が側面部４１ｂ、４１ｃと接続している。
折込み片４６ａ、４６ｂは、本体４１の長手方向に対称になるように設けられている。
【００３１】
図１０は、図９に示す本体４１を図面手前の侵入口４２から見た図である。図１０に示すように、折込み部４６を設置した状態では、各折込み片４６ａ、４６ｂの上部支持面が、側面部４１ｂに対して垂直に、かつ、その部分の内側（折り込む前の状態において、内部空間Ｓに面する側）の面同士が接着するように構成される。また、折込み部４６を設置した状態で、各折込み片４６ａ、４６ｂは、それぞれ下部支持面の下方側の面が天井部４１ｄよりも内部底面との距離が小さくなるように設置される。
本実施形態において、折込み片４６ａ、４６ｂの下部支持面と接着部材との隙間Ｌ４が所定の間隔になるように構成されている。
【００３２】
本実施形態の構成によれば、第１実施形態と同様の効果を得ることができる。また、障害物（折込み部４６）を天井部４１ｄに固定する必要がなく、本体４１を組み立てることが容易である。
さらに、障害物は、厚さが極めて薄い折込み片で構成されており、捕獲器を侵入口側から見た場合、ほぼ線状である。つまり、一方の侵入口から他方の侵入口を介して捕獲器の外部がよく見える状態を確保することができる。このため、ねずみが警戒することなく捕獲器に侵入するようになる。
【００３３】
第１から第４実施形態の所定の間隔は、３ｃｍ以上であり、好ましくは、５ｃｍ〜８ｃｍである。
【００３４】
上記実施形態の効果を調べるため、下記のような実験を行った。第１から第４実施形態にかかるねずみ捕獲器１０、２０、３０、４０を、それぞれ実施例１、２、３、４とし、比較例として障害物を設けていない本体を有する従来のねずみ捕獲器を用意した。
本試験で用いる試験装置は、ねずみを収容可能な二つのケージと、各ケージ間を連結する直線状の連通路とを有している。ねずみが、いずれか一方のケージに、または二つのケージに分けて収容されている。ケージに収容されたねずみは、他方のケージとの間を、連通路を介して往復する。この試験装置は、連通路の所定の箇所に実施例１から４と比較例のねずみ捕獲器が設置され、ねずみ捕獲器の本体両端の侵入口と連通路とが連結するように構成されている。
このような試験装置を用いて、一定時間経過後にねずみ捕獲器に捕獲されたねずみの数（捕獲数）と全ねずみ数（本試験においては全１０匹とする。）に対する捕獲数の割合（捕獲率）を調べた。本試験の結果を、下記の表１に示す。
【００３５】
【表１】
0003830134.tif 000002
【００３６】
本試験の結果によれば、表１に示すように、比較例のねずみ捕獲器は、１０匹のうち８匹を捕獲した。一方で、実施例１〜４のねずみ捕獲器は、いずれも全てのねずみ（１０匹）を捕獲することができた。このことから、本体の内部空間に障害物を設けたねずみ捕獲器は、従来のねずみ捕獲器より捕獲性能が向上していることがわかった。
【００３７】
なお、本発明は、前述した実施形態に限定されるものではなく、適宜な変形、改良などが可能である。
上記の実施形態のように障害物の位置は、本体の長手方向中央に限られない。例えば、障害物は、本体の長手方向端部のいずれかに近づけて設けてもよい。また、障害物は複数設けられてもよい。
障害物の形状は、上記の実施形態に限られず、内部空間の少なくとも一部を侵入口より狭くする構成であればよい。例えば、天井部が段状に形成され、内部底面との間隔を小さくする構成としてもよい。
障害物を設けた本体としては、各実施形態に示す障害物を兼ね備えたものでもよい。例えば、第１実施形態に示す立上げ部を形成し、かつ、第２実施形態に示す凹部面を天井部に設けた本体としてもよい。
【００３８】
【発明の効果】
以上説明したように、本発明によれば、捕獲性能を改良したねずみ捕獲器を提供できる。
【図面の簡単な説明】
【図１】本発明のねずみ捕獲器の第１実施形態を示す全体斜視図である。
【図２】図１に示すねずみ捕獲器の本体を組み立てる前の状態を示す展開図である。
【図３】図２の本体を組み立て方を説明した組立図である。
【図４】図１に示すねずみ捕獲器を示す一部透視図を含む全体斜視図である。
【図５】本発明のねずみ捕獲器の第２実施形態を示す全体斜視図である。
【図６】図５に示すねずみ捕獲器の本体の断面図である。
【図７】本発明のねずみ捕獲器の第３実施形態を示す全体斜視図である。
【図８】図７に示すねずみ捕獲器の本体の断面図である。
【図９】本発明のねずみ捕獲器の第４実施形態を示す全体斜視図である。
【図１０】図９に示すねずみ捕獲器を一方の侵入口から見た側面図である。
【符号の説明】
１０、２０、３０、４０  ねずみ捕獲器
１１、２１、３１、４１  本体
１１ａ、２１ａ、３１ａ、４１ａ  底面部
１１ｂ、２１ｂ、３１ｂ、４１ｂ  側面部
１１ｃ、２１ｃ、３１ｃ、４１ｃ  側面部
１１ｄ、２１ｄ、３１ｄ、４１ｄ  天井部
１２、２２、３２、４２  侵入口
１３、２３、３３、４３  粘着部材
１４、２４、３４、４４  折り返し片
１５、２５、３５、４５  つまみ部
１６、２６、３６、４６  障害物
Ｐ  硬質紙
Ｓ  内部空間
【図１】
0003830134.tif 000003
【図２】
0003830134.tif 000004
【図３】
0003830134.tif 000005
【図４】
0003830134.tif 000006
【図５】
0003830134.tif 000007
【図６】
0003830134.tif 000008
【図７】
0003830134.tif 000009
【図８】
0003830134.tif 000010
【図９】
0003830134.tif 000011
【図１０】
0003830134.tif 000012